【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
遊技者の操作に基づいて遊技球を遊技領域に発射可能な発射手段と、
その発射手段により発射された遊技球が通過可能な第１経路と、その第１経路とは異なる第２経路と、
前記第１経路を通過した遊技球が入球可能な位置であって前記第２経路を通過した遊技球が入球困難な位置に設けられている第１入球手段と、
前記第２経路を通過した遊技球が入球可能な位置であって前記第１経路を通過した遊技球が入球困難な位置に設けられている第２入球手段と、
前記第１入球手段、または前記第２入球手段に遊技球が入球したことに基づいて判別を実行する判別手段と、
遊技球が入球可能となる第１状態とその第１状態よりも遊技球が入球困難となる第２状態とに可変可能な可変入球手段と、
その可変入球手段へと遊技球が入球したことに基づいて所定の特典を付与する特典付与手段と、
前記判別手段の判別結果が予め定められた特定の判別結果となったことに基づいて、前記可変入球手段が所定期間、前記第２状態から前記第１状態へと可変される可変遊技を実行する可変遊技実行手段と、
所定の設定条件の成立に基づいて、前記第２経路よりも前記第１経路へと遊技球を発射した方が前記判別手段の判別が実行され易くなる第１遊技状態と、前記第１経路よりも前記第２経路に遊技球を発射した方が前記判別手段の判別が実行され易くなる第２遊技状態と、を少なくとも含む複数の遊技状態のうち１の遊技状態を設定可能な遊技状態設定手段と、
前記可変遊技の実行が終了したことに基づいて、当該可変遊技の実行が終了した後の遊技状態によらない共通の演出態様で構成される第１演出を実行する第１演出実行手段と、
前記第１演出の実行中に予め定められた特定条件が成立したことに基づいて、前記遊技状態設定手段により前記可変遊技の実行が終了した後の遊技状態として設定された遊技状態の種別に対応する経路を遊技者に対して示唆可能な演出態様で構成される第２演出を実行する第２演出実行手段と、を備え、
前記特定条件は、前記第１演出の実行中に前記第１経路へと遊技球が発射された場合にも、前記第２経路へと遊技球が発射された場合にも成立し得る条件で構成されていることを特徴とする遊技機。
【手続補正２】
【補正対象書類名】明細書
【補正対象項目名】０００２
【補正方法】変更
【補正の内容】
【０００２】
ここで、パチンコ機等の遊技機において、始動入賞に基づいて実行される抽選結果が当たりの場合に、遊技者に有利な当たり状態が付与されるものがある。この従来型の遊技機の中には、例えば、当たりの少なくとも一部で、始動入賞が発生し易くなる時短状態が付与されるものがある。また、かかる従来型の遊技機には、例えば、遊技盤に複数の始動入賞口が設けられ、時短状態となることにより一部の始動入賞口へと遊技球が入賞し易くなるものもあり、遊技者の興趣向上を図っていた。
【手続補正３】
【補正対象書類名】明細書
【補正対象項目名】０００３
【補正方法】変更
【補正の内容】
【０００３】
【特許文献１】特開２００６−２３０８２５号公報
【手続補正４】
【補正対象書類名】明細書
【補正対象項目名】０００４
【補正方法】変更
【補正の内容】
【０００４】
しかしながら、かかる従来型の遊技機では、遊技者の遊技に対する興趣を十分に向上させることができない虞があった。
【手続補正５】
【補正対象書類名】明細書
【補正対象項目名】０００６
【補正方法】変更
【補正の内容】
【０００６】
この目的を達成するために請求項１記載の遊技機は、遊技者の操作に基づいて遊技球を遊技領域に発射可能な発射手段と、その発射手段により発射された遊技球が通過可能な第１経路と、その第１経路とは異なる第２経路と、前記第１経路を通過した遊技球が入球可能な位置であって前記第２経路を通過した遊技球が入球困難な位置に設けられている第１入球手段と、前記第２経路を通過した遊技球が入球可能な位置であって前記第１経路を通過した遊技球が入球困難な位置に設けられている第２入球手段と、前記第１入球手段、または前記第２入球手段に遊技球が入球したことに基づいて判別を実行する判別手段と、遊技球が入球可能となる第１状態とその第１状態よりも遊技球が入球困難となる第２状態とに可変可能な可変入球手段と、その可変入球手段へと遊技球が入球したことに基づいて所定の特典を付与する特典付与手段と、前記判別手段の判別結果が予め定められた特定の判別結果となったことに基づいて、前記可変入球手段が所定期間、前記第２状態から前記第１状態へと可変される可変遊技を実行する可変遊技実行手段と、所定の設定条件の成立に基づいて、前記第２経路よりも前記第１経路へと遊技球を発射した方が前記判別手段の判別が実行され易くなる第１遊技状態と、前記第１経路よりも前記第２経路に遊技球を発射した方が前記判別手段の判別が実行され易くなる第２遊技状態と、を少なくとも含む複数の遊技状態のうち１の遊技状態を設定可能な遊技状態設定手段と、前記可変遊技の実行が終了したことに基づいて、当該可変遊技の実行が終了した後の遊技状態によらない共通の演出態様で構成される第１演出を実行する第１演出実行手段と、前記第１演出の実行中に予め定められた特定条件が成立したことに基づいて、前記遊技状態設定手段により前記可変遊技の実行が終了した後の遊技状態として設定された遊技状態の種別に対応する経路を遊技者に対して示唆可能な演出態様で構成される第２演出を実行する第２演出実行手段と、を備え、前記特定条件は、前記第１演出の実行中に前記第１経路へと遊技球が発射された場合にも、前記第２経路へと遊技球が発射された場合にも成立し得る条件で構成されている。
【手続補正６】
【補正対象書類名】明細書
【補正対象項目名】００１０
【補正方法】変更
【補正の内容】
【００１０】
請求項１記載の遊技機によれば、遊技者の操作に基づいて遊技球を遊技領域に発射可能な発射手段と、その発射手段により発射された遊技球が通過可能な第１経路と、その第１経路とは異なる第２経路と、前記第１経路を通過した遊技球が入球可能な位置であって前記第２経路を通過した遊技球が入球困難な位置に設けられている第１入球手段と、前記第２経路を通過した遊技球が入球可能な位置であって前記第１経路を通過した遊技球が入球困難な位置に設けられている第２入球手段と、前記第１入球手段、または前記第２入球手段に遊技球が入球したことに基づいて判別を実行する判別手段と、遊技球が入球可能となる第１状態とその第１状態よりも遊技球が入球困難となる第２状態とに可変可能な可変入球手段と、その可変入球手段へと遊技球が入球したことに基づいて所定の特典を付与する特典付与手段と、前記判別手段の判別結果が予め定められた特定の判別結果となったことに基づいて、前記可変入球手段が所定期間、前記第２状態から前記第１状態へと可変される可変遊技を実行する可変遊技実行手段と、所定の設定条件の成立に基づいて、前記第２経路よりも前記第１経路へと遊技球を発射した方が前記判別手段の判別が実行され易くなる第１遊技状態と、前記第１経路よりも前記第２経路に遊技球を発射した方が前記判別手段の判別が実行され易くなる第２遊技状態と、を少なくとも含む複数の遊技状態のうち１の遊技状態を設定可能な遊技状態設定手段と、前記可変遊技の実行が終了したことに基づいて、当該可変遊技の実行が終了した後の遊技状態によらない共通の演出態様で構成される第１演出を実行する第１演出実行手段と、前記第１演出の実行中に予め定められた特定条件が成立したことに基づいて、前記遊技状態設定手段により前記可変遊技の実行が終了した後の遊技状態として設定された遊技状態の種別に対応する経路を遊技者に対して示唆可能な演出態様で構成される第２演出を実行する第２演出実行手段と、を備え、前記特定条件は、前記第１演出の実行中に前記第１経路へと遊技球が発射された場合にも、前記第２経路へと遊技球が発射された場合にも成立し得る条件で構成されている。
【手続補正７】
【補正対象書類名】明細書
【補正対象項目名】００１１
【補正方法】変更
【補正の内容】
【００１１】
これにより、遊技者の遊技に対する興趣を向上させることができるという効果がある。
【手続補正８】
【補正対象書類名】明細書
【補正対象項目名】２８１７
【補正方法】変更
【補正の内容】
【２８１７】
１０                      パチンコ機（遊技機）
６４ 第１入球口（第１入球手段）
６５ 可変入賞装置（可変入球手段）
６７ スルーゲート（通過手段）
１１２ 発射制御装置（発射手段）
６４０ 第２入球口（第２入球手段）
６４０ａ 電動役物（可変手段）
Ｓ２１７                  判別手段の一部
Ｓ２１８                  可変遊技実行手段
Ｓ３０５                  判別手段の一部
Ｓ５１２ 所定判別手段
Ｓ５２５ 可変制御手段
Ｓ１２１１，Ｓ１２１２    遊技状態設定手段
Ｓ１７２２，Ｓ４００２ 条件判別手段
Ｓ４００４，Ｓ４００５ 第２演出実行手段